(57)【特許請求の範囲】
【請求項１】
生地裏面の布端に静電気防止部を備え、
前記静電気防止部には、導電性を有する静電気防止布帛が設けられ、
前記静電気防止布帛は、衣料の裏面の前記布端の縁部に配置された状態で、前記静電気防止布帛上から前記布端縁部が縫製されてなる解れ止めを有し、
前記解れ止めが複数本の縫い糸からなるものであり、
前記静電気防止布帛は、前記解れ止めとして前記布端をかがる両端の縫い糸で挟まれるように設けられることを特徴とする静電気対策衣料。
【請求項２】
前記静電気防止布帛は、少なくとも脇下および袖口に設けられることを特徴とする請求項１に記載の静電気対策衣料。
【発明の詳細な説明】
【技術分野】
【０００１】
本発明は、着用することで静電気の防止対策をすることができる静電気対策衣料に関する。
【背景技術】
【０００２】
特に冬季などの大気が乾燥しやすい時期には、着用している衣類が擦れるなどして静電気が発生することがある。
【０００３】
精密機器を製造する工場などでは、製造している機器に静電気が影響を及ぼすため、表地に帯電防止機能を有する生地を用いた帯電防止用作業衣を作業員が着用することにより静電気を防止することが提案されている（特許文献１参照）。
【先行技術文献】
【特許文献】
【０００４】
【特許文献１】実用新案第３１４８５５１号
【発明の概要】
【発明が解決しようとする課題】
【０００５】
しかしながら、従来の衣料は、工場などでの作業着として帯電の防止に特化したものであり、工場などでの作業において着用されることが前提であるため意匠性が考慮されたものではなかった。
【課題を解決するための手段】
【０００６】
本発明は、上述した技術背景に鑑み、意匠性に優れ、着用することで日常的に静電気の防止対策をすることができる静電気対策衣料の提供を目的とする。
【０００７】
即ち、本発明は下記［１］〜［３］に記載の構成を有する。
【０００８】
［１］  生地裏面の布端に静電気防止部を備え、
前記静電気防止部には、導電性を有する静電気防止布帛が設けられ、
前記静電気防止布帛が前記布端の縁部に配置された状態で、前記静電気防止布帛上から前記布端縁部の解れ止めの縫製がなされてなることを特徴とする静電気対策衣料。
【０００９】
［２］  前記解れ止めが複数本の縫い糸からなるものであり、
前記静電気防止布帛は、前記解れ止めとして前記布端をかがる両端の縫い糸で挟まれるように設けられることを特徴とする前項１に記載の静電気対策衣料。
【００１０】
［３］  前記静電気防止布帛は、少なくとも脇下および袖口に設けられることを特徴とする前項１または２に記載の静電気対策衣料。
【発明の効果】
【００１１】
上記［１］に記載の発明によれば、静電気防止布帛が布端の縁部に配置された状態で、静電気防止布帛上から布端縁部の解れ止めの縫製がなされるので、着用するだけで静電気防止布帛に接触した、或いは近傍の帯電物の静電気を除電して静電気障害を防止することができ、布の裏面縁部の解れ止めの縫合と同時に静電気防止布帛を容易に取り付けることができる。
【００１２】
また、静電気防止布帛が衣料の裏面の布端に設けられるので、外観の意匠性を損なうことがない上、衣料の種類を選ぶことなくどの様な衣料にでも静電気防止布帛を取り付けることができる。
【００１３】
上記［２］に記載の発明によれば、静電気防止布帛が解れ止めとして前記布端をかがる両端の縫い糸で挟まれるように設けられるので、静電気防止布帛が目立つことがなく、洗濯などがなされた場合であっても離脱しにくい。
【００１４】
上記［３］に記載の発明によれば、静電気防止布帛が、少なくとも脇下および袖口に設けられるので、上半身全体に帯電した静電気を除去するのに適している。
【図面の簡単な説明】
【００１５】
【図１】本発明の静電気対策衣料の一例を示す説明図である。
【図２】図１に係る静電気対策衣料の脇下裏面に設けた静電気防止部の一例を示す拡大図である。
【図３】図１に係る静電気対策衣料の裏面に設けた静電気防止部の一例をより詳細に示す拡大図である。
【発明を実施するための形態】
【００１６】
以下、図面を参照して、本発明の実施形態について説明する。
【００１７】
図１は、静電気対策衣料１００の一例を示す説明図、図２は、図１の静電気対策衣料１００の脇下裏面に設けた静電気防止部１の一例を示す拡大図、図３は、図１の静電気対策衣料１００の裏面に設けた静電気防止部１の一例をより詳細に示す拡大図である。
【００１８】
静電気対策衣料１００は、織物や不織布、編物などからなる生地で形成されるものであり、日常において着用される衣料である。
【００１９】
以降では、静電気対策衣料１００の一例として図１に示すような上半身衣料に基づいて説明する。
【００２０】
静電気対策衣料１００の生地裏面の布端３には、静電気防止部１が備えられる。
【００２１】
静電気防止部１には、導電性を有する静電気防止布帛１１が設けられ、帯電物に帯電した静電気が当該静電気防止布帛１１を介して除電される。
【００２２】
例えば、静電気防止部１は、静電気防止布帛１１と接触した負に帯電する帯電物の負電荷が静電気防止布帛１１に流れ込むことにより静電気防止布帛１１で生じるコロナ放電によって、静電気防止布帛１１に近接する帯電物の静電気を含めて除電する。
【００２３】
例えば、本実施形態の静電気防止布帛１１には、静電気防止布帛１１が取り付けられている布端３に帯電した静電気が流れ込み、生じたコロナ放電によって近接する半径約５０ｃｍ内にある帯電物の静電気の帯電量を減少させることができる。
【００２４】
静電気防止布帛１１として、例えば、ステンレス繊維などの金属繊維及び非導電性繊維などからなる静電気除去用の布帛が使用される。
【００２５】
静電気防止布帛１１は、静電気対策衣料１００裏面の布端３の縁部３１に配置された状態で、静電気防止布帛１１上から布端縁部３１の解れ止めの縫製がなされてなることによって、静電気対策衣料１００の生地裏面に設けられる。
【００２６】
図２に示すように、静電気防止布帛１１が布端３の縁部３１に配置された状態で、共に表面を合わせた状態の前身頃Ａと後身頃Ｂにおける布端３の縁部３１に、縁部３１の解れ止めの縫製処理である、例えばオーバーロック処理などの解れ止め処理２が施されることによって、布端３の縁部３１に静電気防止布帛１１が縫着される。
【００２７】
尚、Ｃは、袖部分の生地であり、前身頃Ａ及び後身頃Ｂの縁部３１の解れ止め処理２は袖Ｃの布端３の縁部３１に至る。
【００２８】
複数本の縫い糸２１〜２４からなる解れ止め処理２の一例として図示したものは、２本の針と４本の糸２１〜２４を使用して、環縫いミシンによりオーバーロック処理がなされた縫い目の表面側である。
【００２９】
２本針４本糸のオーバーロック処理２では、２本の針糸と２本のルーパ糸とが絡み、図２，３に示すような縫い目２が形成される。
【００３０】
詳述すると、本縫いされる左針糸２２に上ルーパ糸２１が絡むことにより、左針糸２２と上ルーパ糸２１の一部の糸２１ａとが、オーバーロック処理に用いられる縫い糸のうち最も内側に位置する糸となり、上ルーパ糸２１と下ルーパ糸２４とが絡むことにより、上ルーパ糸２１及び下ルーパ糸２４のそれぞれ一部の糸２１ｂ，２４ａが、２本針４本糸のオーバーロック処理に用いられる縫い糸のうち最も外側に位置する糸となる。
【００３１】
最も内側に位置する糸２１ａ，２２と、最も外側に位置する糸２１ｂ，２４ａとの間には、本縫いされた右針糸２３が設けられる。
【００３２】
オーバーロック処理２のうち最も内側に形成された縫い糸２１ａ，２２と、最も外側に形成された縫い糸２１ｂ，２４ａとの間に静電気防止布帛１１が設けられ、その両端の縫い糸２１ａ，２２，２１ｂ，２４ａの間の縫い糸２３によって静電気防止布帛１１が縫着されて確実に固定することができる。
【００３３】
静電気防止布帛１１は、解れ止めとして布端３をかがる両端の縫い糸２１（２１ａ，２１ｂ），２２，２４に挟まれるようにして設けられ、このように構成することにより、布端３の解れ止めを施すと同時に、静電気防止部１を静電気対策衣料１００に容易に取り付けることができる。
【００３４】
また、静電気防止布帛１１が解れ止めとして布端３をかがる両端の縫い糸２１，２２，２４で挟まれるように設けられるので、静電気防止布帛１１が目立つことがなく、洗濯などがなされた場合であっても離脱しにくい。
【００３５】
本実施形態における静電気防止布帛１１は、例えば、厚さ約０．４ｍｍ〜０．５ｍｍ、大きさ約４ｍｍ×約２０ｍｍの帯状形状のものが用いられる。
【００３６】
静電気防止布帛１１は、衣料の脱着の際に支障がなく、且つ着用時に違和感がない部位であり、帯電した静電気を放電するのに適した部位に設けられる。
【００３７】
例えば、図１に示すように左右脇下Ｄ及び左右袖口Ｅの生地裏面側の布端縁部３１に設けられる。
【００３８】
図示する静電気対策衣料１００では、脇下Ｄの静電気防止布帛１１は、袖刳りの最下端部から約１ｃｍの位置に設けられ、袖口Ｅの静電気防止布帛１１は、袖口Ｅのリブ切替部に設けられている。
【００３９】
尚、図１に示すような両袖にリブを設けない衣料の場合には、腕の長さ方向に沿って設けられた布端３の袖口Ｅ近傍における解れ止め処理２、或いは袖口Ｅで折り返して縫製された布端３の解れ止め処理２など、袖部分の生地の袖口Ｅ近傍に静電気防止布帛１１を設けるとよい。
【００４０】
静電気防止部１は、帯電物に直接接触する機会が多く、人体の部位のうち静電気障害を受ける可能性が高いと思われる手先に近い袖口Ｅに設けられることによって、静電気防止布帛１１で生じるコロナ放電により人体の静電気の帯電量を減少させることができる。
【００４１】
さらに、左右脇下Ｄにも静電気防止部１を設けることによって、左右袖口Ｅ及び左右脇下Ｄのそれぞれから半径約５０ｃｍ内、凡そ上半身全てにおける静電気の帯電量を減少させることができる。
【００４２】
本実施形態における静電気防止布帛１１は、両脇下Ｄ及び両袖口Ｅの生地裏面側の布端３の縁部３１に設けられると、上半身全体における静電気障害を防止できるので好適であるが、静電気防止布帛１１が設けられる部位はこれに限定されるものではない。
【００４３】
例えば、静電気防止布帛１１は、首周りにおける布端３の縁部３１、或いは裾部分の布端３の縁部３１などに設けられるのであってもよく、少なくとも両脇下Ｄ及び両袖口Ｅに設けられることが好ましい。
【００４４】
上述したように、静電気防止布帛１１が、少なくとも脇下Ｄおよび袖口Ｅに設けられるので、上半身全体に帯電した静電気を除去するのに適している。
【００４５】
以上説明したように、衣料の裏面の布端３に静電気防止部１を備え、前記静電気防止部１には、導電性を有する静電気防止布帛１１を設け、前記静電気防止布帛１１が前記布端３の縁部３１に配置された状態で、前記静電気防止布帛１１上から前記布端縁部３１の解れ止めの縫製がなされるように構成されるので、静電気防止布帛１１が布端３の縁部３１に配置された状態で、静電気防止布帛１１上から布端縁部３１の解れ止めの縫製がなされるので、着用するだけで静電気防止布帛に接触した、或いは近傍の帯電物の静電気を除電して静電気障害を防止することができ、布の裏面縁部３１の解れ止めの縫合と同時に静電気防止布帛１１を容易に取り付けることができる。また、静電気防止布帛１１が衣料の裏面の布端３に設けられるので、外観の意匠性を損なうことがない上、衣料の種類を選ぶことなくどの様な衣料にでも静電気防止布帛１１を取り付けることができる。
【００４６】
静電気防止布帛１１は、日常において着用される衣料に設けられるため、洗濯可能な素材が用いられることが好適である。
【００４７】
上述した静電気防止部１は、少なくとも両脇下Ｄ及び両袖口Ｅに設けられることが好適であるが、これに限定されるものではなく、静電気防止布帛１１の特性、静電気対策衣料１００の形状などに応じて適宜配置する箇所が決定されるのであってもよい。
【００４８】
例えば、両脇下Ｄのみ、両袖口Ｅのみ、或いは片方の脇下Ｄ及び当該脇下Ｄと対向する側の袖口Ｅなどに静電気防止布帛１１が設けられるのであってもよく、少なくとも脇下Ｄまたは／及び袖口Ｅに静電気防止布帛１１が設けられるのであればよい。
【００４９】
上述した静電気対策衣料１００は上半身衣料を一例として説明したが、これに限定されるものではない。例えば、下半身衣料の所定の箇所に静電気防止部１を設けて静電気対策衣料１００とするのであってもよい。
【００５０】
下半身衣料を静電気対策衣料１００とする場合には、静電気防止布帛１１が裾の部位に設けられることが好ましい。
【００５１】
静電気防止布帛１１を縫着する際の解れ止め処理２には、オーバーロック処理２の両端の縫い糸２１，２２，２４の間に設けられる縫い糸２３によって静電気防止布帛１１を確実に固定することができる、また表面外観の意匠性を損なわないのはもちろんのこと、生地裏面の外観もよいので、オーバーロック処理、特に上述した２本針４本糸のオーバーロック処理２であることが好ましいが、これに限定されるものではなく、その他の解れ止め処理であってもよい。
【００５２】
例えば、１本の針で３本の糸を使用したオーバーロック処理が施されるのであってもよいし、インターロック処理が施されるのであってもよく、衣料の裏面であり、裏から見た場合であっても目立つことのない布端の解れ止め処理２と同時に静電気防止布帛１１が縫着されるような解れ止め処理であればよい。
【００５３】
また、静電気防止布帛１１は、上述したような厚さ、大きさに限定されるものではなく、解れ止め処理２の最も内側に形成された縫い糸２１ａ，２２と、最も外側に形成された縫い目２１ｂ，２４ａとの間に設けることができる大きさ、且つ着用時に違和感が生じないような厚さに適宜設定されるのであれば特に限定されるものではない。
【００５４】
上述の説明中の数値については、いずれも設計事項であり、実施例に限定されるものではない。
【００５５】
以上説明した実施形態は、本発明の一例に過ぎず、本発明の作用効果を奏する範囲において具体的構成などを適宜変更設計できることは言うまでもない。
【符号の説明】
【００５６】
１…静電気防止部
２…解れ止め処理（オーバーロック処理）
３…布端
２１〜２４，２１ａ，２１ｂ，２４ａ…縫い糸
１１…静電気防止布帛
３１…縁部
１００…静電気対策衣料
Ｃ…脇下
Ｄ…袖口
【図１】
0006016392.tif 000002
【図２】
0006016392.tif 000003
【図３】
0006016392.tif 000004